(57)【特許請求の範囲】
【請求項１】
床コンクリートとこの床コンクリートに設けられる構造体とを、床コンクリートの乾燥収縮や温度差による膨張に対する緩衝材を介して接続したものであり、前記緩衝材はネオプレーンゴムで構成されることを特徴とする床コンクリートのひび割れ抑制構造。
【請求項２】
前記構造体は建物の柱脚であり、前記緩衝材をこの柱脚の周囲に接着したことを特徴とする請求項１に記載の床コンクリートのひび割れ抑制構造。
【請求項３】
前記柱脚はその下端に設けたベースプレートを介して建物の基礎にボルトで固定されるものであり、前記ベースプレート上面から突出した前記ボルトの端部に絶縁材を被覆して前記ボルトの拘束から前記床コンクリートを縁切りしたことを特徴とする請求項２に記載の床コンクリートのひび割れ抑制構造。
【発明の詳細な説明】
【技術分野】
【０００１】
本発明は、建物の土間コンクリートやスラブコンクリートなどの床面用の床コンクリートの乾燥収縮等に伴うひび割れ発生を抑制するようにした床コンクリートのひび割れ抑制構造に関するものである。
【背景技術】
【０００２】
従来、土間コンクリートにおいては、コンクリートの乾燥収縮や温度差による膨張に伴うひび割れを集中させる目的で、図３に示すように、ひび割れ誘発目地１をメッシュ状に土間コンクリート２に設けている。
【０００３】
この目地１は通常、カッター等でコンクリート２の表面に切れ込みを入れることにより施工されるが、土間コンクリート２内にワイヤーメッシュ筋などの鉄筋を配筋する構造の場合には、目地１の位置で鉄筋を切断する手間や、あるいは、目地１の位置で不連続となるように予め配筋しておくといった手間がかかり、コストを押し上げる要因となっていた。
【０００４】
こうした問題に対し、施工能率を高めて手間を少なくした誘発目地として、例えば特許文献１の構造が知られている。
【０００５】
また、柱脚３周りの目地１については施工性等を考慮して柱脚３から所定距離隔てて配置されるのが通常である。
【０００６】
この柱脚３周りの土間コンクリート２を施工する場合には、まず、図４に示すように、柱脚３から所定距離隔てた位置にエラスタイト等の緩衝材からなる目地部材４を配置した後、この目地部材４の外側の部分に先行して土間コンクリート２ａを打設し、次いで柱脚３周囲の部分に根巻コンクリート２ｂを打設する。そして最後に、不陸調整のためこれら土間コンクリート２ａ、目地部材４、根巻コンクリート２ｂの表面を覆うようにセルフレベリング材などの仕上材５を敷設して表面を平滑に仕上げている。
【先行技術文献】
【特許文献】
【０００７】
【特許文献１】特開平６−２４０７６９号公報
【発明の概要】
【発明が解決しようとする課題】
【０００８】
ところで、システムキッチン等のショールームにおいては床面の見栄えにも十分配慮する必要がある。ここで、床面のひび割れ防止のために上記のひび割れ誘発目地を土間コンクリートに設けた場合には、仕上材を通じて目地のラインが床面に浮かび上がったり、あるいは、目地を挟んで別々に打設した土間コンクリート間で段差が生じたりして、床面の美観が損なわれてしまう。さらに、こうした段差等によってシステムキッチンの底面と床面との間に隙間が生じる場合も見栄えが損なわれることになる。
【０００９】
本発明は、上記に鑑みてなされたものであって、土間コンクリートやスラブコンクリートなどの床面用の床コンクリートにおいて、目地によって床面の美観を損ねない床コンクリートのひび割れ抑制構造を提供することを目的とする。
【課題を解決するための手段】
【００１０】
上記した課題を解決し、目的を達成するために、本発明の請求項１に係る床コンクリートのひび割れ抑制構造は、床コンクリートとこの床コンクリートに設けられる構造体とを、床コンクリートの乾燥収縮や温度差による膨張に対する緩衝材を介して接続したものであり、前記緩衝材はネオプレーンゴムで構成されることを特徴とする。
【００１１】
また、本発明の請求項２に係る床コンクリートのひび割れ抑制構造は、上述した請求項１において、前記構造体は建物の柱脚であり、前記緩衝材をこの柱脚の周囲に接着したことを特徴とする。
【００１２】
また、本発明の請求項３に係る床コンクリートのひび割れ抑制構造は、上述した請求項２において、前記柱脚はその下端に設けたベースプレートを介して建物の基礎にボルトで固定されるものであり、前記ベースプレート上面から突出した前記ボルトの端部に絶縁材を被覆して前記ボルトの拘束から前記床コンクリートを縁切りしたことを特徴とする。
【発明の効果】
【００１３】
本発明によれば、床コンクリートとこの床コンクリートに設けられる構造体とを、緩衝材を介して接続したので、土間コンクリートやスラブコンクリートなどの床面用の床コンクリートにおける乾燥収縮や熱膨張等に伴う変位は緩衝材によって吸収され、コンクリートの内部応力は構造体による拘束を受けにくくなる。
【００１４】
したがって、床コンクリートの中間部に目地を設けることなくコンクリートのひび割れを抑制することができ、目地によって床面の美観を損ねない床コンクリートのひび割れ抑制構造を提供することができるという効果を奏する。
【００１５】
また、この構造体周囲の床コンクリートは一度に打設できるため従来の目地のように両側で段差が生じるおそれもない。床面に目地のラインも段差も生じないので、システムキッチン等のショールームの床面にふさわしい見栄えに配慮された美しい外観の床面を提供することができる。
【００１６】
また、本発明の他の構成によれば、上述した構成において、前記構造体は建物の柱脚であり、前記緩衝材をこの柱脚の周囲に接着したので、構造体として建物の土間コンクリートと境界面を有して設けられることが多い柱脚を用いることができる。
【００１７】
また、緩衝材を柱脚の周囲に接着する構成とすることで柱脚および土間コンクリートの施工性が高められる。また、この柱脚周囲の土間コンクリートは一度に打設できるため従来の目地のように両側で段差が生じるおそれもない。
【００１８】
また、本発明の他の構成によれば、上述した構成において、前記柱脚はその下端に設けたベースプレートを介して建物の基礎にボルトで固定されるものであり、前記ベースプレート上面から突出した前記ボルトの端部に絶縁材を被覆して前記床コンクリートと縁切りしたので、床コンクリートとボルトの端部との直接的な接触が回避され、ボルトによる拘束に起因する床コンクリートのひび割れ発生を未然に防止することができる。
【図面の簡単な説明】
【００１９】
【図１】図１は、本発明に係る床コンクリートのひび割れ抑制構造の一例を示す側断面図である。
【図２】図２は、本発明に係る床コンクリートのひび割れ抑制構造の一例を示す上面図である。
【図３】図３は、従来の土間コンクリートのひび割れ誘発目地構造の一例を示す上面図である。
【図４】図４は、従来の土間コンクリートのひび割れ誘発目地構造の一例を示す側断面図である。
【発明を実施するための形態】
【００２０】
以下に、本発明に係る床コンクリートのひび割れ抑制構造の実施の形態を図面に基づいて詳細に説明する。なお、この実施例では建物の土間コンクリートに適用される場合を例にとり説明するが、この実施例によりこの発明が限定されるものではない。
【００２１】
図１および図２（１）に示すように、本発明に係る床コンクリートのひび割れ抑制構造１０は、建物の土間コンクリート１２（床コンクリート）とこの土間コンクリート１２に隣接して設けた角形鋼管からなる鉄骨柱脚１４（構造体）とを、緩衝材１６を介して接続したものである。
【００２２】
鉄骨柱脚１４は、その下端に溶接された矩形のベースプレート１８を介して敷砂２０を挟んで建物のコンクリート基礎２２にアンカーボルト２４および締結ナット２６によって固定されている。アンカーボルト２４はベースプレート１８の四隅に配置してある。
【００２３】
一方、部屋の床面を構成する土間コンクリート１２は、敷砂２０および断熱材２８の上に打設されており、その内部には格子状に組まれたワイヤーメッシュ筋３０が上下二段に配筋されている。
【００２４】
緩衝材１６は、土間コンクリート１２の乾燥収縮や熱膨張等、あるいは、鉄骨柱脚１４が変形することによって土間コンクリート１２と鉄骨柱脚１４とが相対的に変位した際の土間コンクリート１２に対する応力負担を低減するためのものである。緩衝材１６は、鉄骨柱脚１４の周囲に巻き付けて接着剤等で接着することで鉄骨柱脚１４と一体化してある。
【００２５】
緩衝材１６の材質としては、土間コンクリート１２の乾燥収縮や熱膨張などに伴う変位を吸収可能なシート状の可撓性材料を用いることができ、例えば発泡ポリエチレンフォームやネオプレーンゴム等で構成可能である。緩衝材１６の巻厚は例えば１５ｍｍ程度とすることができる。
【００２６】
また、ベースプレート１８上面から突出したアンカーボルト２４の端部には絶縁材３２が被覆してあり、その周辺の土間コンクリート１２と縁切りしてある。こうすることで、土間コンクリート１２とアンカーボルト２４の端部との直接的な接触が回避され、アンカーボルト２４の端部が土間コンクリート１２を拘束することによるひび割れ発生を未然に防止することができる。ここで、絶縁材３２としては、例えば発泡ポリエチレンからなる材料を用いることが可能である。また、絶縁材３２は、図２（１）に示すように、四隅全てのアンカーボルト２４の端部を含むようにベースプレート１８上面に沿って連続的に被覆してもよいし、四隅のアンカーボルト２４の端部のみに被覆配置してもよい。
【００２７】
なお、本実施例ではベースプレート１８外縁のコンクリート基礎２２上にも絶縁材３４を設けてある。こうすることで、土間コンクリート１２の荷重がなるべくベースプレート１８に作用しないようにしている。
【００２８】
以上のように構成した本発明のひび割れ抑制構造１０によれば、土間コンクリート１２における乾燥収縮や熱膨張等に伴う変位は緩衝材１６によって吸収され、コンクリート１２の内部応力は鉄骨柱脚１４による拘束を受けにくくなる。
【００２９】
したがって、土間コンクリート１２の中間部に目地を設けることなくコンクリートのひび割れを抑制することができ、従来のひび割れ誘発目地を設ける場合に比べて床面の美観を損ねることがない。また、この鉄骨柱脚１４の周囲の土間コンクリート１２は一度に打設できるため従来の目地のように両側で段差が生じるおそれもない。
【００３０】
特に、本発明によれば、床面に目地のラインも段差も生じないので、システムキッチン等のショールームの床面にふさわしい見栄えに配慮された美しい外観の床面を得ることができる。
【００３１】
また、本発明によれば、土間コンクリートと境界面を有して設けられることが多い柱脚の周囲に緩衝材を接着する構成としている。緩衝材１６を予め柱脚１４に巻き付けて一体化しておき、この周囲に土間コンクリート１２を打設する手順により施工すれば、柱脚１４とこの周囲の土間コンクリート１２の施工性が向上する。
【００３２】
上記の実施の形態において、床コンクリートとして建物の土間コンクリート１２の場合を例にとり説明したがこれに限るものではなく、例えば、表面にひび割れを誘発するおそれのあるスラブコンクリートとしても適用可能であり、いずれにしても上記の実施例と同様の作用効果を奏することができる。
【００３３】
また、上記の実施の形態において、構造体として角形鋼管からなる鉄骨柱脚１４を用いて説明したが、これに限るものではなく、例えば、図２（２）に示されるような円形鋼管からなる鉄骨柱脚１４ａとしても適用可能であり、いずれにしても上記の実施例と同様の作用効果を奏することができる。
【００３４】
なお、上記の実施の形態において、ひび割れをより一層抑制するために、土間コンクリート１２打設後のコンクリート養生期間を十分確保することが好ましい。例えば数日間周囲にシートを張り、表面にシートを敷き、散水による湿潤養生等を実施するようにしてもよい。また、土間コンクリート１２の混和材として膨張剤を添加するようにしてもよい。
【００３５】
さらに、コンクリート養生後においては、土間コンクリート１２上での作業に高所作業車などの重量のある設備は使用せず、電動ローリングや梯子リフトなどの軽量な仮設足場設備を使用して硬化した土間コンクリート１２に負担が掛からぬようにすることが好ましい。
【００３６】
以上説明したように、本発明によれば、床コンクリートとこの床コンクリートに設けられる構造体とを、緩衝材を介して接続したので、土間コンクリートやスラブコンクリートなどの床面用の床コンクリートにおける乾燥収縮や熱膨張等に伴う変位は緩衝材によって吸収され、コンクリートの内部応力は構造体による拘束を受けにくくなる。
【００３７】
したがって、床コンクリートの中間部に目地を設けることなくコンクリートのひび割れを抑制することができ、目地によって床面の美観を損ねない床コンクリートのひび割れ抑制構造を提供することができる。
【００３８】
また、この構造体周囲の床コンクリートは一度に打設できるため従来の目地のように両側で段差が生じるおそれもない。床面に目地のラインも段差も生じないので、システムキッチン等のショールームの床面にふさわしい見栄えに配慮された美しい外観の床面を提供することができる。
【００３９】
また、本発明の他の構成によれば、上述した構成において、前記構造体は建物の柱脚であり、前記緩衝材をこの柱脚の周囲に接着したので、構造体として建物の土間コンクリートと境界面を有して設けられることが多い柱脚を用いることができる。
【００４０】
また、緩衝材を柱脚の周囲に接着する構成とすることで柱脚および土間コンクリートの施工性が高められる。また、この柱脚周囲の土間コンクリートは一度に打設できるため従来の目地のように両側で段差が生じるおそれもない。
【００４１】
また、本発明の他の構成によれば、上述した構成において、前記柱脚はその下端に設けたベースプレートを介して建物の基礎にボルトで固定されるものであり、前記ベースプレート上面から突出した前記ボルトの端部に絶縁材を被覆して前記床コンクリートと縁切りしたので、床コンクリートとボルトの端部との直接的な接触が回避され、ボルトによる拘束に起因する床コンクリートのひび割れ発生を未然に防止することができる。
【産業上の利用可能性】
【００４２】
以上のように、本発明に係る床コンクリートのひび割れ抑制構造は、建物の土間コンクリートやスラブコンクリートなどの床面用の床コンクリートの乾燥収縮等に伴うひび割れ発生を抑制するのに有用であり、特に、床コンクリートの中間部にひび割れ誘発目地を設けることなく床面の美観を確保し、これによりシステムキッチン等のショールームの床面にふさわしい見栄えに配慮された美しい外観の床面を得るのに適している。
【符号の説明】
【００４３】
１０  床コンクリートのひび割れ抑制構造
１２  土間コンクリート（床コンクリート）
１４  鉄骨柱脚（構造体）
１６  緩衝材
１８  ベースプレート
２０  敷砂
２２  コンクリート基礎（基礎）
２４  アンカーボルト（ボルト）
２６  締結ナット
２８  断熱材
３０  ワイヤーメッシュ筋
３２，３４  絶縁材
【図１】
0005967402.tif 000002
【図２】
0005967402.tif 000003
【図３】
0005967402.tif 000004
【図４】
0005967402.tif 000005